(57)【特許請求の範囲】
【請求項１】
照明システムにおいて個別照明の設定を与える方法であって、
第１のユーザの第１のユーザ照明要求を示す第１のユーザ照明情報を識別するステップであって、前記第１のユーザ照明要求は、基準色温度における第１の光強度及び基準光強度における第１の色温度を示す当該ステップと、
第２のユーザの第２のユーザ照明要求を示す第２のユーザ照明情報を識別するステップであって、前記第２のユーザ照明要求は、前記基準色温度における第２の光強度及び前記基準光強度における第２の色温度を示す当該ステップと、
前記第１のユーザ及び前記第２のユーザが予め規定された距離の範囲内に存在し、前記第１のユーザ照明要求と前記第２のユーザ照明要求との違いが予め規定された違いの範囲を超えている時に、前記第１のユーザに修正された第１の光特性を有する第１の照明を与え、前記第２のユーザに第２の光特性を有する第２の照明を同時に与えるステップと
を有し、
前記修正された第１の光特性は、修正された第１の光強度及び修正された第１の色温度の少なくとも１つを含み、
前記第２の光特性は、放射される第２の光強度及び放射される第２の色温度を含み、
前記第１の照明及び前記第２の照明は、第１の条件又は第２の条件を満たし、
前記第１の条件では、前記修正された第１の光強度と前記放射される第２の光強度との間の修正された光強度の絶対差が、前記第１の光強度と前記第２の光強度との間の元の光強度の絶対差よりも小さく、
前記第２の条件では、前記修正された第１の色温度と前記放射される第２の色温度との間の修正された色温度の絶対差が、前記第１の色温度と前記第２の色温度との間の元の色温度の絶対差よりも小さく、
前記第１の照明が、フェイス第１光強度を有するフェイス第１照明成分及びタスク第１光強度を有するタスク第１照明成分を含み、
前記フェイス第１光強度は、前記タスク第１光強度が前記第１のユーザ照明要求に対するよりも前記第１のユーザ照明要求に近い、当該方法。
【請求項２】
前記修正された第１の光特性が、前記修正された第１の光強度及び前記修正された第１の色温度の両方を含む、請求項１記載の方法。
【請求項３】
前記修正された第１の色温度が、前記修正された第１の光強度において前記第１のユーザ照明要求を維持するように調節される、請求項２記載の方法。
【請求項４】
前記第２の照明が、フェイス第２光強度を有するフェイス第２照明成分及びタスク第２光強度を有するタスク第２照明成分を含む、請求項１記載の方法。
【請求項５】
前記第１の照明が間欠的に与えられる、請求項１記載の方法。
【請求項６】
第１のユーザの位置を識別するステップと、第２のユーザの位置を識別するステップと、前記予め規定された距離を決定するために前記第１のユーザの位置を前記第２のユーザの位置と比較するステップとを更に有する、請求項１記載の方法。
【請求項７】
前記第２の条件では、前記修正された第１の光強度と前記放射される第２の光強度との間の前記修正された光強度の絶対差が、前記第１の光強度と前記第２の光強度との間の前記元の光強度の絶対差よりも大きい、請求項１記載の方法。
【請求項８】
照明システムにおいて個別照明の設定を与える方法であって、
第１のユーザが、相反する照明のユーザの近くにいない時に、前記第１のユーザに与える第１の照明を識別するステップであって、前記第１の照明は、前記第１のユーザの第１のユーザ照明要求に適合し、第１の照明光出力強度及び第１の照明色温度を有する当該ステップと、
前記第１のユーザ照明要求が前記第１のユーザの近くにいる相反するユーザの相反するユーザ照明要求と一致しない時に、前記第１のユーザに第２の照明を与えるステップと
を有し、前記第２の照明は、前記第１の照明光出力強度が前記相反するユーザ照明要求の光出力強度に対するよりも前記相反するユーザ照明要求の光出力強度に近い第２の照明光出力強度を有し、
前記第１の照明が、フェイス第１光強度を有するフェイス第１照明成分及びタスク第１光強度を有するタスク第１照明成分を含み、
前記フェイス第１光強度は、前記タスク第１光強度が前記第１の照明光出力強度に対するよりも前記第１の照明光出力強度に近い、当該方法。
【請求項９】
前記第２の照明は、前記第１の照明色温度が前記相反するユーザ照明要求の色温度に対するよりも前記相反するユーザ照明要求の前記色温度に近くない第２の照明色温度を有する、請求項８記載の方法。
【請求項１０】
前記第２の照明が、フェイス第２光強度及びフェイス第２色温度を有するフェイス第２照明成分と、タスク第２光強度及びタスク第２色温度を有するタスク第２照明成分とを含む、請求項８記載の方法。
【請求項１１】
前記第２の照明が、前記第１の照明に対して青ないし緑領域及び黄ないし赤領域の少なくとも１つにおいて大きくなるスペクトルパワー分布を有する、請求項８記載の方法。
【請求項１２】
前記第２の照明光出力強度において前記第１のユーザ照明要求を達成する前記第２の照明の第２の照明色温度を設定するステップを更に有する、請求項８記載の方法。
【請求項１３】
照明システムにおいて個別照明の設定を与える方法であって、
第１のユーザが、相反する照明のユーザの近くにいない時に、前記第１のユーザに与える第１の照明を識別するステップであって、前記第１の照明は、前記第１のユーザの第１のユーザ照明要求に適合し、第１の照明光出力強度及び第１の照明色温度を有する当該ステップと、
前記第１のユーザ照明要求が前記第１のユーザの近くにいる相反するユーザの相反するユーザ照明要求と一致しない時に、前記第１のユーザに第２の照明を与えるステップと
を有し、前記第２の照明は、前記第１の照明色温度が前記相反するユーザ照明要求の色温度に対するよりも前記相反するユーザ照明要求の色温度に近い第２の照明色温度を有し、
前記第２の照明が、フェイス第１光強度及びフェイス第１色温度を有するフェイス第１照明成分と、タスク第１光強度及びタスク第１色温度を有するタスク第１照明成分とを含む、当該方法。
【請求項１４】
照明システムにおいて個別照明の設定を与える方法であって、
第１のユーザが、相反する照明のユーザの近くにいない時に、前記第１のユーザに与える第１の照明を識別するステップであって、前記第１の照明は、前記第１のユーザの第１のユーザ照明要求に適合し、第１の照明光出力強度及び第１の照明色温度を有する当該ステップと、
前記第１のユーザ照明要求が前記第１のユーザの近くにいる相反するユーザの相反するユーザ照明要求と一致しない時に、前記第１のユーザに第２の照明を与えるステップと
を有し、前記第２の照明は、前記第１の照明色温度が前記相反するユーザ照明要求の色温度に対するよりも前記相反するユーザ照明要求の色温度に近い第２の照明色温度を有し、
前記第２の照明が、前記第１の照明に対して青ないし緑領域及び黄ないし赤領域の少なくとも１つにおいて大きくなるスペクトルパワー分布を有する、当該方法。
【発明の詳細な説明】
【技術分野】
【０００１】
［０００１］本発明は、全体としては、照明制御及び照明装置を対象とする。より詳細には、本明細書に開示される種々の本発明の方法及び装置は、互いに近くに位置するユーザに個別照明を与える方法及び装置に関する。
【背景技術】
【０００２】
［０００２］デジタル照明技術、すなわち、発光ダイオード（ＬＥＤ）のような半導体光源に基づく照明は、従来の蛍光、ＨＩＤ及び白熱ランプに対する実行可能な代替案を提供している。ＬＥＤの機能的利点及び利益は、高いエネルギー変換及び光学的効率、耐久性、より低い動作コスト他多数を含んでいる。ＬＥＤ技術の最近の進歩は、多くのアプリケーションにおいて種々の照明効果を可能にする効率的で頑強なフルスペクトルの照明源を提供している。これらのソースを具現化する器具の幾つかは、異なる色、例えば、赤、緑及び青を生成することが可能な１つ以上のＬＥＤと、種々の色及び色が変化する照明効果を引き起こすために該ＬＥＤの出力を独立して制御するプロセッサとを含む照明モジュールを特徴としている。
【発明の概要】
【発明が解決しようとする課題】
【０００３】
［０００３］ユーザが自身の照明の要求を照明システムに伝えるパーソナルデバイスを所持するユーザ応答性の照明システムが実現されている。照明環境内の１つ以上の照明器具の光出力は、ユーザの照明の要求に基づいてユーザの照明の好みに応じて調節され得る。そのようなシステムは、ユーザの個々の設定に基づいて照明器具の調節を可能にするが、幾つかの欠点を有している。例えば、幾つかの環境（例えば、社会的環境、討論グループ及び／又は会議室）では、ユーザは、当該環境全体にわたって希望通りに動きたいかもしれないが、ユーザの照明の好みを依然として維持する。幾つかのユーザ反応性の照明システムは、そのような動きの自由を可能にすることができないが、照明の好みを維持する。また、例えば、複数のユーザが対話する幾つかの環境では、異なる照明の要求を持つユーザが、個別照明領域間の差異を小さくする個別照明領域を与えられない。
【０００４】
［０００４］種々の治療用照明システムもまた実現されている。そのような治療用照明システムは、ユーザが治療目的のためにしばらくの間前方に座るか立つかしなければならない照明器具を含んでいることが多い。そのような治療用照明システムは、例えば、使用するための専用スペース又は場所及び／又は他の照明の要求を持つ近くに存在する他人にとって煩わしい明るい治療光の要求のような１つ以上の欠点を有している。
【０００５】
［０００５］従って、当該技術分野では、他の照明アプリケーション及び／又は方法の１つ以上の欠点をオプションで克服する互いに近くに位置するユーザに個別照明を与える照明方法及び装置を提供する必要がある。
【課題を解決するための手段】
【０００６】
［０００６］この開示は、互いに近くに位置するユーザに個別照明を与える本発明の方法及び装置を対象としている。例えば、第１の照明は、第１のユーザが、相反する照明ユーザの近くにいない時に、第１のユーザに与えられる。第２の照明は、第１のユーザ照明要求が第１のユーザの近くにいる相反するユーザの相反するユーザ照明要求と一致しない時に第１のユーザに与えられる。この第２の照明は、相反するユーザに供給される照明との差異を最小限にするように設定され得る。例えば、第２の照明は、第１の照明が相反するユーザの照明に対するよりも光出力強度において相反するユーザ照明要求に適合する。また、例えば、第２の照明は、第１の照明が相反するユーザの照明に対するよりも色温度において相反するユーザ照明要求に適合する。
【０００７】
［０００７］一般に、一観点では、照明システムにおいて個別照明の設定を与える方法であって、第１のユーザの第１のユーザ照明要求を示す第１のユーザ照明情報を識別するステップであって、上記第１のユーザ照明要求は、基準色温度における第１の光強度及び基準光強度における第１の色温度を示す当該ステップと、第２のユーザの第２のユーザ照明要求を示す第２のユーザ照明情報を識別するステップであって、上記第２のユーザ照明要求は、上記基準色温度における第２の光強度及び上記基準光強度における第２の色温度を示す当該ステップと、上記第１のユーザ及び上記第２のユーザが予め規定された距離の範囲内に存在し、上記第１のユーザ照明要求と上記第２のユーザ照明要求との違いが予め規定された違いの範囲を超えている時に、上記第１のユーザに修正された第１の光特性を有する第１の照明を与え、上記第２のユーザに第２の光特性を有する第２の照明を同時に与えるステップとを含む当該方法が提供される。上記修正された第１の光特性は、修正された第１の光強度及び修正された第１の色温度の少なくとも１つを含んでいる。上記第２の光特性は、実際の第２の光強度及び実際の第２の色温度を含んでいる。上記第１の照明及び上記第２の照明は、第１の条件又は第２の条件のいずれか一方を満たし、上記第１の条件では、上記修正された第１の光強度と上記実際の第２の光強度との間の修正された光強度の絶対差が、上記第１の光強度と上記第２の光強度との間の元の光強度の絶対差よりも小さく、上記第２の条件では、上記修正された第１の色温度と上記実際の第２の色温度との間の修正された色温度の絶対差が、上記第１の色温度と上記第２の色温度との間の元の色温度の絶対差よりも小さい。
【０００８】
［０００８］幾つかの形態では、上記修正された第１の光特性は、上記修正された第１の光強度及び上記修正された第１の色温度の両方を含んでいる。それらの形態の幾つかのバージョンでは、修正された第１の色温度は、修正された第１の光強度において第１のユーザ照明要求を維持するように調節される。
【０００９】
［０００９］幾つかの形態では、上記第１の照明は、フェイス第１光強度を有するフェイス第１照明成分及びタスク第１光強度を有するタスク第１照明成分を含んでいる。それらの形態の幾つかのバージョンでは、フェイス第１光強度は、タスク第１光強度が第１のユーザ照明要求に対するよりも第１のユーザ照明要求に近い。それらの形態の幾つかのバージョンでは、第２の照明は、フェイス第２光強度を有するフェイス第２照明成分及びタスク第２光強度を有するタスク第２照明成分を含んでいる。それらの形態の幾つかのバージョンでは、フェイス第２光強度は、タスク第２光強度が第２のユーザ照明要求に対するよりも第２のユーザ照明要求に近い。それらの形態の幾つかのバージョンでは、第１のフェイス光強度と第２のフェイス光強度とのフェイス絶対差は、第１のタスク光強度と第２のタスク光強度とのタスク絶対差よりも大きい。
【００１０】
［００１０］幾つかの形態では、上記第１の照明は、フェイス第１色温度を有するフェイス第１照明成分及びタスク第１色温度を有するタスク第１照明成分を含み、上記第２の照明は、フェイス第２色温度を有するフェイス第２照明成分及びタスク第２色温度を有するタスク第２照明成分を含み、上記フェイス第１色温度は、上記タスク第１色温度が上記タスク第２色温度対するよりも上記フェイス第２色温度に適合する。
【００１１】
［００１１］幾つかの形態では、上記第１の照明は間欠的に与えられる。
【００１２】
［００１２］幾つかの形態では、上記方法は、第１のユーザの位置を識別するステップと、第２のユーザの位置を識別するステップと、前記予め規定された距離を決定するために前記第１のユーザの位置を前記第２のユーザの位置と比較するステップとを更に有している。
【００１３】
［００１３］幾つかの形態では、上記第１の条件では、上記修正された第１の色温度と上記修正された第２の色温度との間の上記修正された色温度の絶対差が、上記第１の色温度と上記第２の色温度との間の上記元の色温度の絶対差よりも大きい。それらの形態の幾つかのバージョンでは、第２の条件では、修正された第１の光強度と実際の第２の光強度との間の修正された光強度の絶対差が、第１の光強度と第２の光強度との間の元の色温度の絶対差よりも大きい。
【００１４】
［００１４］幾つかの形態では、上記第２の条件では、上記修正された第１の光強度と上記実際の第２の光強度との間の上記修正された光強度の絶対差が、上記第１の光強度と上記第２の光強度との間の上記元の色温度の絶対差よりも大きい。
【００１５】
［００１５］一般に、他の観点では、照明システムにおいて個別照明の設定を与える方法が提供され、この方法は、第１のユーザが、相反する照明のユーザの近くにいない時に、上記第１のユーザに与える第１の照明を識別するステップであって、上記第１の照明は、上記第１のユーザの第１のユーザ照明要求に適合し、第１の照明光出力強度及び第１の照明色温度を有する当該ステップと、上記第１のユーザ照明要求が上記第１のユーザの近くにいる相反するユーザの相反するユーザ照明要求と一致しない時に、上記第１のユーザに第２の照明を与えるステップとを含んでおり、上記第２の照明は、上記第１の照明光出力強度が上記相反するユーザ照明要求の上記光出力強度に対するよりも上記相反するユーザ照明要求の光出力強度に適合する第２の照明光出力強度を有する。
【００１６】
［００１６］幾つかの形態では、上記第２の照明は、上記第１の色温度が上記相反するユーザ照明要求の上記色温度に対するよりも上記相反するユーザ照明要求の上記色温度に適合しない第２の照明色温度を有する。
【００１７】
［００１７］幾つかの形態では、上記第２の照明は、フェイス第１光強度及びフェイス第１色温度を有するフェイス第１照明成分と、タスク第１光強度及びタスク第１色温度を有するタスク第１照明成分とを含んでいる。それらの形態の幾つかのバージョンでは、タスク第１光強度は、フェイス第１光強度が相反するユーザ照明要求の光出力強度に対するよりも相反するユーザ照明要求の光出力強度に適合する。それらの形態の幾つかのバージョンでは、タスク第１色温度は、フェイス第１色温度が相反するユーザ照明要求の光出力強度に対するよりも相反するユーザ照明要求の色温度に適合する。
【００１８】
［００１８］幾つかの形態では、上記第２の照明は、上記第１のユーザ及び上記相反するユーザが予め規定された時間互いの予め規定された距離の範囲内にいた後に与えられる。
【００１９】
［００１９］幾つかの形態では、上記第２の照明は間欠的に与えられる。また、上記第２の照明は、上記第１の照明に対して青ないし緑領域及び黄ないし赤領域の少なくとも１つにおいて大きくなるスペクトルパワー分布を有する。
【００２０】
［００２０］幾つかの形態では、上記方法は、更に、上記第２の照明光出力強度において上記第１のユーザ照明要求を達成する上記第２の照明の上記第２の照明色温度を設定するステップを含んでいる。
【００２１】
［００２１］一般に、他の観点では、照明システムにおいて個別照明の設定を与える方法が提供され、この方法は、第１のユーザが、相反する照明のユーザの近くにいない時に、上記第１のユーザに与える第１の照明を識別するステップであって、上記第１の照明は、上記第１のユーザの第１のユーザ照明要求に適合し、第１の照明光出力強度及び第１の照明色温度を有する当該ステップと、上記第１のユーザ照明要求が上記第１のユーザの近くにいる相反するユーザの相反するユーザ照明要求と一致しない時に、上記第１のユーザに第２の照明を与えるステップとを含んでおり、上記第２の照明は、上記第１の照明色温度が上記相反するユーザ照明要求の上記光色温度に対するよりも上記相反するユーザ照明要求の光出力色温度に適合する第２の照明色温度を有する。
【００２２】
［００２２］幾つかの形態では、上記第２の照明は、上記第１の光出力強度が上記相反するユーザ照明要求の上記光出力強度に対するよりも上記相反するユーザ照明要求の上記光出力強度に適合しない第２の照明光出力強度を有する。
【００２３】
［００２３］幾つかの形態では、上記第２の照明は、フェイス第１光強度及びフェイス第１色温度を有するフェイス第１照明成分と、タスク第１光強度及びタスク第１色温度を有するタスク第１照明成分とを含んでいる。それらの形態の幾つかのバージョンでは、タスク第１光強度は、フェイス第１光強度が相反するユーザ照明要求の光出力強度に対するよりも相反するユーザ照明要求の光出力強度に適合する。それらの形態の幾つかのバージョンでは、タスク第１色温度は、フェイス第１色温度が相反するユーザ照明要求の光出力強度に対するよりも相反するユーザ照明要求の色温度に適合する。
【００２４】
［００２４］幾つかの形態では、上記第２の照明は、上記第１のユーザ及び上記相反するユーザが予め規定された時間互いの予め規定された距離の範囲内にいた後に与えられる。
【００２５】
［００２５］幾つかの形態では、上記第２の照明は間欠的に与えられる。また、上記第２の照明は、上記第１の照明に対して青ないし緑領域及び黄ないし赤領域の少なくとも１つにおいて大きくなるスペクトルパワー分布を有する。
【００２６】
［００２６］幾つかの形態では、上記方法は、更に、上記第２の照明色温度において上記第１のユーザ照明要求を達成する上記第２の照明の上記第２の光出力強度を設定するステップを含んでいる。
【００２７】
［００２７］一般に、他の観点では、照明システムにおいて個別照明の設定を与える方法が提供され、この方法は、第１のユーザの第１のユーザ位置を識別するステップと、上記第１のユーザの第１のユーザ生物学的照明要求を示す第１のユーザ情報を識別するステップと、第２のユーザの第２のユーザ位置を識別するステップと、上記第１のユーザ生物学的照明要求と異なる上記第２のユーザの第２のユーザ生物学的照明要求を示す第２のユーザ情報を識別するステップと、上記第１のユーザ位置を上記第２のユーザ位置と比較するステップと、上記第１のユーザ位置及び上記第２のユーザ位置が予め規定された距離の範囲内に存在する時に、上記第１のユーザについての第１の照明の設定及び上記第２のユーザについての第２の照明の設定を決定するステップとを含んでいる。上記第１の照明の設定及び上記第２の照明の設定は、上記第１の照明の設定と上記第２の照明の設定との光強度差の低減により上記第１の照明の設定と上記第２の照明の設定との差異を小さくするように選択され、上記第１のユーザ生物学的照明要求及び上記第２のユーザ生物学的照明要求のそれぞれを維持するために上記第１の照明の設定及び上記第２の照明の設定のそれぞれに関して色温度を設定する。
【００２８】
［００２８］一般に、他の観点では、照明システムにおいて個別照明の設定を与える方法が提供され、この方法は、第１のユーザの第１のユーザ位置を識別するステップと、
上記第１のユーザの第１のユーザ生物学的照明要求を示す第１のユーザ情報を識別するステップと、第２のユーザの第２のユーザ位置を識別するステップと、上記第１のユーザ生物学的照明要求と異なる上記第２のユーザの第２のユーザ生物学的照明要求を示す第２のユーザ情報を識別するステップと、上記第１のユーザ位置を上記第２のユーザ位置と比較するステップと、上記第１のユーザ位置及び上記第２のユーザ位置が予め規定された距離の範囲内に存在する時に、上記第１のユーザについての第１の照明の設定及び上記第２のユーザについての第２の照明の設定を決定するステップとを含んでいる。上記第１の照明の設定及び上記第２の照明の設定は、上記第１の照明の設定と上記第２の照明の設定との色温度差の低減により上記第１の照明の設定と上記第２の照明の設定との差異を小さくするように選択され、上記第１のユーザ生物学的照明要求及び上記第２のユーザ生物学的照明要求のそれぞれを維持するために上記第１の照明の設定及び上記第２の照明の設定のそれぞれに関して光強度を設定する。
【００２９】
［００２９］一般に、他の観点では、照明システムにおいて個別照明の設定を与える方法が提供され、この方法は、第１のユーザの第１のユーザ照明要求を示す第１のユーザ照明情報を識別するステップであって、上記第１のユーザ照明要求は、基準色温度における第１の光強度及び基準光強度における第１の色温度を示す当該ステップと、第２のユーザの第２のユーザ照明要求を示す第２のユーザ照明情報を識別するステップであって、上記第２のユーザ照明要求は、上記基準色温度における第２の光強度及び上記基準光強度における第２の色温度を示す当該ステップと、上記第１のユーザ及び上記第２のユーザが予め規定された距離の範囲内に存在し、上記第１のユーザ照明要求と上記第２のユーザ照明要求との違いが予め規定された違いの範囲を超えている時に、上記第１のユーザに第１の光特性を有する第１の照明を与え、上記第２のユーザに第２の光特性を有する第２の照明を同時に与えるステップとを含んでいる。上記第１の光特性は、実際の第１の光強度及び実際の修正された第１の色温度を含み、上記第２の光特性は、実際の第２の光強度及び実際の第２の色温度を含み、上記実際の第１の光強度と上記実際の第２の光強度との間の修正された光強度の絶対差は、上記第１の光強度と上記第２の光強度との間の元の光強度の絶対差よりも小さく、上記実際の第１の色温度と上記実際の第２の色温度との間の修正された色温度の絶対差は、上記第１の色温度と上記第２の色温度との間の元の色温度の絶対差よりも大きい。
【００３０】
［００３０］一般に、他の観点では、照明システムにおいて個別照明の設定を与える方法が提供され、この方法は、第１のユーザの第１のユーザ照明要求を示す第１のユーザ照明情報を識別するステップであって、上記第１のユーザ照明要求は、基準色温度における第１の光強度及び基準光強度における第１の色温度を示す当該ステップと、第２のユーザの第２のユーザ照明要求を示す第２のユーザ照明情報を識別するステップであって、上記第２のユーザ照明要求は、上記基準色温度における第２の光強度及び上記基準光強度における第２の色温度を示す当該ステップと、上記第１のユーザ及び上記第２のユーザが予め規定された距離の範囲内に存在し、上記第１のユーザ照明要求と上記第２のユーザ照明要求との違いが予め規定された違いの範囲を超えている時に、上記第１のユーザに第１の光特性を有する第１の照明を与え、上記第２のユーザに第２の光特性を有する第２の照明を同時に与えるステップとを含んでいる。上記第１の光特性は、実際の第１の光強度及び実際の修正された第１の色温度を含み、上記第２の光特性は、実際の第２の光強度及び実際の第２の色温度を含み、上記実際の第１の色温度と上記実際の第２の色温度との間の修正された色温度の絶対差は、上記第１の色温度と上記第２の色温度との間の元の色温度の絶対差よりも小さく、上記実際の第１の光強度と上記実際の第２の光強度との間の修正された光強度の絶対差は、上記第１の光強度と上記第２の光強度との間の元の光強度の絶対差よりも大きい。
【００３１】
［００３１］他の形態は、本明細書において説明される方法のそのような１つ以上の方法を実行するためにプロセッサにより実行可能な命令を記憶する非一時的なコンピュータ可読記憶媒体を含んでいる。更に他の実現は、メモリ及び本明細書において説明される方法のそのような１つ以上の方法を実行するためにメモリに記憶された命令を実行するように動作可能な１つ以上のプロセッサを含むシステムを含んでいる。
【００３２】
［００３２］本開示の目的のために本明細書において用いられる場合、「ＬＥＤ」という用語は、任意のエレクトロルミネセントダイオード又は電気信号に応じて放射を生成することができる他のタイプのキャリア注入／接合型のシステムを含むことを理解されるべきである。従って、ＬＥＤという用語は、電流に応じて光を発する種々の半導体を使用した構造体、発光ポリマ、有機発光ダイオード（ＯＬＥＤ）、エレクトロルミネセントストリップ等を含むが、これらに限定されない。特に、ＬＥＤという用語は、赤外スペクトル、紫外スペクトル及び（一般に、約４００ナノメートルから約７００ナノメートルまでの放射波長を含む）可視スペクトルの種々の部分の１つ以上において放射を生成するように構成される（半導体及び有機発光ダイオードを含む）全てのタイプの発光ダイオードのことを指す。ＬＥＤの幾つかの例は、赤外ＬＥＤ、紫外ＬＥＤ、赤色ＬＥＤ、青色ＬＥＤ、緑色ＬＥＤ、黄色ＬＥＤ、アンバー色ＬＥＤ、橙色ＬＥＤ及び（以下に更に説明される）白色ＬＥＤの種々のタイプを含むが、これらに限定されない。ＬＥＤは、或るスペクトル（例えば、狭帯域幅、広帯域幅）についての種々の帯域幅（例えば、半値全幅、すなわち、ＦＷＨＭ）及び或る一般的な色分類内のさまざまな主波長を持つ放射を発するように構成及び／又は制御され得ることも理解されるべきである。
【００３３】
［００３３］例えば、本質的に白色の光を生成するように構成されたＬＥＤ（例えば、白色ＬＥＤ）の１つの実現は、本質的に白色の光を形成するために組み合わせて混合するエレクトロルミネセンスの異なるスペクトルをそれぞれ発する幾つかのダイを含んでいる。他の実現では、白色光ＬＥＤは、第１のスペクトルを持つエレクトロルミネセンスを異なる第２のスペクトルに変換する蛍光材料に関連している。この実現の一例では、かなり短波長であり、狭帯域幅のスペクトルを持つエレクトロルミネセンスが蛍光材料を「ポンピング」し、該蛍光材料は、その結果として幾らかより広いスペクトルを持つより長い波長の放射を放つ。
【００３４】
［００３４］ＬＥＤという用語は、ＬＥＤの物理的及び／又は電気的なパッケージタイプを限定するものではないことも理解されたい。例えば、上述したように、ＬＥＤは、異なるスペクトルの放射をそれぞれ発するように構成された複数のダイを有する単一の発光デバイスを指す。また、ＬＥＤは、当該ＬＥＤ（例えば、幾つかのタイプの白色ＬＥＤ）の一体部分とみなされる蛍光体と関連し得る。一般に、ＬＥＤという用語は、パッケージ化されたＬＥＤ、パッケージ化されていないＬＥＤ、表面実装型ＬＥＤ、チップオンボード型ＬＥＤ、Ｔパッケージ実装型ＬＥＤ、放射パッケージ型ＬＥＤ、電力パッケージ型ＬＥＤ、何らかのタイプのケース（encasement）及び／又は光学素子（例えば、拡散レンズ）を含むＬＥＤ等を指す。
【００３５】
［００３５］「光源」という用語は、（上記に定義されたような１つ以上のＬＥＤを含む）ＬＥＤを使用したソース、白熱源（例えば、フィラメントランプ、ハロゲンランプ）、蛍光源、リン光源、高輝度放電源（例えば、ナトリウム蒸気、水銀蒸気及びメタルハライドランプ）、レーザ及び発光ポリマを含む他のタイプのエレクトロルミネセンス源を含むが、これらに限定されない種々の放射源の任意の１つ以上のことを指すと理解されたい。
【００３６】
［００３６］或る光源は、可視スペクトル内、可視スペクトル外又は両方の組み合わせで電磁放射を生成する。従って、「光」及び「放射」という用語は、本明細書では区別なく用いられる。更に、光源は、一体化している構成要素として、１つ以上のフィルタ（例えば、カラーフィルタ）、レンズ又は他の光学部品を含んでいてもよい。また、光源は、指示、表示及び／又は照明を含むが、これらに限定されない種々の用途のために構成され得ることを理解されたい。「照明源」は、特に室内又は室外空間を効果的に照明するために十分な強度を有する放射を生成するように構成された光源である。これに関連して、「十分な強度」とは、周囲照明（すなわち、間接的に知覚され、例えば、全体として又は部分的に知覚される前に種々の介在する表面の１つ以上から反射され得る光）を与えるために上記空間又は環境において生成される可視スペクトルでの十分な放射パワー(放射パワー又は「光束」については、全方向の光源からの合計の光出力を表すために「ルーメン」の単位が使用されることが多い。）のことを指している。
【００３７】
［００３７］「スペクトル」という用語は、１つ以上の光源により生成される放射の任意の１つ以上の周波数（又は波長）のことを指すと理解されたい。従って、「スペクトル」という用語は、可視範囲における周波数（又は波長）だけではなく、赤外、紫外及び電磁スペクトル全体の他の領域における周波数（又は波長）のことも指す。また、或るスペクトルは、相対的に狭い帯域幅（例えば、本質的に僅かな周波数又は波長成分しか有していないＦＷＨＭ）又は相対的に広い帯域幅（種々の相対強度を持つ幾つかの周波数又は波長成分）を有し得る。或るスペクトルは、２つ以上の他のスペクトルの混合（例えば、複数の光源からそれぞれ発せられる放射の混合）の結果であり得ることも理解されたい。
【００３８】
［００３８］本開示の目的のために、「色」という用語は、「スペクトル」という用語と区別なく用いられる。しかしながら、「色」という用語は、一般的には、主に観察者によって知覚可能である放射の性質を指すために用いられる（が、この使用はこの用語の範囲を限定するように意図されてはいない。）。従って、「異なる色」という表現は、異なる波長成分及び／又は帯域幅を持つ多重スペクトルのことを暗に意味している。「色」という用語は、白色光及び非白色光の両方と関連して用いられ得ることも理解されるべきである。
【００３９】
［００３９］「色温度」という用語は、本明細書では、一般に、白色光に関連して用いられるが、この使用はこの用語の範囲を限定するように意図されてはいない。色温度は、本質的には、白色光の特定の色内容又は色合い（例えば、赤みを帯びている、青みを帯びている）のことを指している。或る放射サンプルの色温度は、通常、本質的には対象となっている放射サンプルと同じスペクトルを発するケルビン（Ｋ）の単位の黒体放射体の温度に従って特徴付けられる。黒体放射体の色温度は、一般に、（典型的には、人間の目に最初に見えるとみなされている）約７００Ｋから１００００Ｋ以上までの範囲内にあり、白色光は、一般に、１５００ないし２０００Ｋよりも高い色温度に認識されている。
【００４０】
［００４０］より低い色温度は、一般に、より大きい赤成分又は「より暖かい感じ」を持つ白色光を示し、より高い色温度は、一般に、より大きい青成分又は「より冷たい感じ」を持つ白色光を示す。例として、炎は約１８００Ｋの色温度を有し、通常の白熱電球は約２８４８Ｋの色温度を有し、早朝の日光は約３０００Ｋの色温度を有し、雲で覆われた日中の空は約１００００Ｋの色温度を有している。約３０００Ｋの色温度を有する白色光の下で見られるカラー画像は相対的に赤みを帯びた色合いを有しており、約１００００Ｋの色温度を有する白色光の下で見られる同じカラー画像は相対的に青みを帯びた色合いを有している。
【００４１】
［００４１］「照明器具」及び「照明装置」という用語は、特定のフォームファクタ、アセンブリ又はパッケージにおける１つ以上の照明ユニットの実現又は配置について言及するために本明細書では区別なく用いられる。「照明ユニット」という用語は、本明細書では、同じ又は異なるタイプの１つ以上の光源を含む装置を指すために用いられる。或る照明ユニットは、光源、筐体／ハウジングの配置及び形状及び／又は電気的及び機械的接続形態についてのさまざまな取り付けの取り決めの任意の１つを有している。更に、或る照明ユニットは、オプションで、光源の動作に関連する種々の他の構成要素（例えば、制御回路）と関係がある（例えば、それを含んでいる、それに結合されている及び／又はそれとともにパッケージされている。）。「ＬＥＤを使用した照明ユニット」は、単独の又は他のＬＥＤを使用しない照明ユニットと組み合わせた、上記説明されたような１つ以上のＬＥＤを使用した光源を含む照明ユニットのことを指す。「マルチチャンネル」照明ユニットは、異なる放射スペクトルをそれぞれ生成するように構成された少なくとも２つの光源を含むＬＥＤを使用した又はＬＥＤを使用しない照明ユニットのことを指しており、各異なるソースのスペクトルは、マルチチャンネル照明ユニットの「チャンネル」と呼ばれる。
【００４２】
［００４２］「コントローラ」という用語は、本明細書では、１つ以上の光源の動作に関連する種々の装置を説明するために広く用いられる。コントローラは、本明細書において説明される種々の機能を実行するために（例えば、専用ハードウェアを伴ってのように）非常に多くのやり方で実現され得る。「プロセッサ」は、本明細書において論じられる種々の機能を実行するためにソフトウェア（例えば、マイクロコード）を用いてプログラムされ得る１つ以上のマイクロプロセッサを使用するコントローラの一例である。コントローラは、プロセッサを使用して又は使用しないで実現され、また、幾つかの機能を実行するための専用ハードウェアと他の機能を実行するためのプロセッサとの組み合わせ（例えば、１つ以上のプログラムされたマイクロプロセッサ及び関連回路）としても実現され得る。この開示の種々の実施形態において使用され得るコントローラの要素の例は、通常のマイクロプロセッサ、特定用途向け集積回路（ＡＳＩＣ）及びフィールドプログラマブルゲートアレイ（ＦＰＧＡ）を含んでいるが、これらに限定されない。
【００４３】
［００４３］種々の実現において、プロセッサ又はコントローラは、（本明細書では総称的に「メモリ」と呼ばれ、例えば、ＲＡＭ、ＰＲＯＭ、ＥＰＲＯＭ及びＥＥＰＲＯＭのような揮発性及び不揮発性コンピュータメモリ、フロッピー（登録商標）ディスク、コンパクトディスク、光ディスク、磁気テープ等である）１つ以上の記憶媒体と関連している。幾つかの実現では、上記記憶媒体は、１つ以上のプロセッサ及び／又はコントローラ上で実行される際、本明細書において論じられる機能の少なくとも幾つかを実行する１つ以上のプログラムによりコード化される。種々の記憶媒体は、プロセッサ又はコントローラ内に取り付けられてもよいし、又は、本明細書において論じられる本発明の種々の観点を実現するために該記憶媒体に記憶された１つ以上のプログラムがプロセッサ又はコントローラにロードされ得るように移送可能であってもよい。「プログラム」又は「コンピュータプログラム」という用語は、本明細書では、１つ以上のプロセッサ又はコントローラをプログラムするために使用され得る任意のタイプのコンピュータコード（例えば、ソフトウェア又はマイクロコード）のことを指すように汎用的意味で用いられる。
【００４４】
［００４４］１つのネットワークの実現では、ネットワークに結合される１つ以上のデバイスが、（例えば、マスター／スレーブの関係で）ネットワークに結合される１つ以上の他のデバイスのためのコントローラとしての機能を果たす。他の実現では、ネットワーク化された環境は、ネットワークに結合されるデバイスの１つ以上を制御する１つ以上の専用コントローラを含む。一般に、ネットワークに結合される複数のデバイスはそれぞれ、単数又は複数の通信媒体上に存在するデータにアクセスできるが、或るデバイスは、例えば、割り当てられた１つ以上の特定の識別子（例えば、「アドレス」）に基づいて、ネットワークとデータを選択的にやり取りする（すなわち、ネットワークからデータを受け取る及び／又はネットワークにデータを送る）という点で「アドレス可能」である。
【００４５】
［００４５］本明細書において用いられる「ネットワーク」という用語は、ネットワークに結合された任意の２つ以上のデバイスの間及び／又は複数のデバイス間の（例えば、デバイスの制御、データの記憶、データの交換等のための）情報の輸送を容易にする（コントローラ又はプロセッサを含む）２つ以上のデバイスの任意の相互接続のことを指す。容易に理解されるように、複数のデバイスを相互接続するのに適したネットワークの種々の実現は、種々のネットワークトポロジのいずれかを含み、種々の通信プロトコルのいずれかを使用する。また、本開示に係る種々のネットワークでは、２つのデバイス間のいずれか１つの接続は、２つの系の間の専用接続を表すか、又は代替として、非専用接続を表す。２つのデバイスを対象とする情報を伝えることに加えて、そのような非専用接続は、必ずしも２つのデバイスのいずれかを対象としない情報を伝える（例えば、オープンネットワーク接続）。更に、本明細書において論じられるようなデバイスの種々のネットワークが、ネットワーク全体にわたる情報の輸送を容易にするために、１つ以上の無線、有線／ケーブル及び／又は光ファイバリンクを使用し得ることは容易に理解されるべきである。
【００４６】
［００４６］本明細書において用いられる「ユーザインターフェース」という用語は、ユーザとデバイスとの間の通信を可能にする人間のユーザ又はオペレータと１つ以上のデバイスとのインターフェースのことを指す。本開示の種々の実現に使用されるユーザインターフェースの例は、スイッチ、ポテンショメータ、ボタン、ダイアル、スライダ、マウス、キーボード、キーパッド、種々のタイプのゲームコントローラ（例えば、ジョイスティック）、トラックボール、表示スクリーン、種々のタイプのグラフィカルユーザインターフェース（ＧＵＩ）、タッチスクリーン、マイクロフォン及び何らかの形の人間が生み出す刺激を受け、それに応じて信号を生成する他のタイプのセンサを含んでいるが、これらに限定されない。
【００４７】
［００４７］上述の概念及び以下に極めて詳細に説明される更なる概念の全ての組み合わせは、（そのような概念が相互に矛盾しないならば、）本明細書において開示される発明の主観的事項の一部であると考えられることを理解されたい。特に、この開示の最後に示される特許請求の範囲の主観的事項の全ての組み合わせは、本明細書において開示される発明の主観的事項の一部であると考えられる。また、参照することにより組み込まれるいずれの開示にも表れ得る本明細書において明示的に使用される用語は、本明細書で開示される特定の概念と最も一貫性がある意味を与えられることも理解されたい。
【図面の簡単な説明】
【００４８】
［００４８］図面においては、同様の参照符号は、概して、種々の図全体にわたって同じ部分を指している。また、図面は、必ずしも縮尺が正確ではなく、本発明の原理を説明する際に一般に配される縮尺ではなく、強調されている。
【００４９】
【図１】［００４９］会議室内のテーブルの上方に位置する照明器具の一実施形態を伴う会議室の平面図を示している。
【図２】［００５０］図１の照明器具のブロック図を示している。
【図３】［００５１］図１のテーブル及び照明器具の側面図を示しており、第１のユーザ及び第２のユーザがテーブルの周りに与えられた椅子に存在している。
【図４】［００５２］図１のテーブル及び照明器具の他の側面図を示しており、第３のユーザ及び第４のユーザがテーブルの周りに与えられた椅子に存在している。
【図５】［００５３］照明システムの一実施形態のブロック図を示している。
【発明を実施するための形態】
【００５０】
［００５４］ユーザが自身の照明の要求を照明システムに伝えるパーソナルデバイスを所持するユーザ応答性の照明システムが実現されている。照明環境内の１つ以上の照明器具の光出力は、ユーザの照明の要求に基づくユーザの照明の好みに応じて調節され得る。そのようなシステムは、ユーザの個々の設定に基づいて照明器具の調節を可能にするが、１つ以上の欠点を有している。例えば、幾つかの環境では、ユーザ反応性の照明システムは、動きの自由を可能にすることができないが、照明の好みを維持する。また、例えば、複数のユーザが対話する幾つかの環境では、異なる照明の要求を持つ近くに位置するユーザが、個別照明領域間の差異を小さくする個別照明領域を与えられない。
【００５１】
［００５５］種々の治療用照明システムもまた実現されている。そのような治療用照明システムは、ユーザが治療目的のためにしばらくの間前方に座るか立つかしなければならない照明器具を含んでいることが多い。そのような治療用照明システムは、例えば、使用するための専用スペース又は場所及び／又は他の照明の要求を持つ近くに存在する他人にとって煩わしい明るい治療光の要求のような１つ以上の欠点を有している。従って、本願発明者等は、近隣のユーザに与えられる照明間の差異を小さくするために近隣のユーザの様々な照明の要求を補う一方で、個々のユーザの照明の好みの利益を維持する照明に関連する方法及び装置を提供することが必要であることを認識し、理解した。
【００５２】
［００５６］より一般的には、本願発明者等は、互いに近くに位置するユーザに個別照明を与える照明方法及び装置を提供することが有益であることを認識し、理解した。
【００５３】
［００５７］上記を鑑みて、本発明の種々の実施形態及び実現は、照明制御及び照明装置を対象としている。
【００５４】
［００５８］以下の詳細な説明では、限定ではなく説明を目的として、具体的な詳細を開示する代表的な実施形態が請求項に係る発明の全体の理解を与えるために説明される。しかしながら、本明細書において開示される具体的な詳細から逸脱するこの教示に従う他の実施形態が添付の特許請求の範囲内にとどまることは、この開示の利益を得た当業者には明らかであろう。また、よく知られている装置及び方法の説明は、代表的な実施形態の説明を不明瞭にしないように省略され得る。そのような方法及び装置は、明らかに請求項に係る発明の範囲内である。例えば、本明細書に開示される手法の種々の実施形態は、垂直フェイス照明成分、水平タスク照明成分及びユーザの存在及び／又は位置を検出する少なくとも１つのセンサを含む照明システムに特に適している。従って、説明の目的のために、請求項に係る発明がそのような照明システムとともに論じられる。しかしながら、他の構成及びアプリケーションが、請求項に係る発明の範囲又は精神から逸脱することなく考えられる。例えば、タスク照明成分のみを含む又はフェイス照明成分のみを含む観点が、他の照明システムにおいて実現され得る。
【００５５】
［００５９］図１を参照すると、会議室の平面図が示されている。会議室の中には、８つの椅子１０５Ａ−Ｈが矩形のテーブル１０７の周りに配されている。矩形のテーブル１０７の上方に位置する照明器具１１０を有する照明システムが、会議室に存在している。照明器具１１０は、８つの個々の照明領域１１０Ａ−Ｈを含んでいる。照明領域１１０Ａ−Ｈのそれぞれは、オプションで独立して制御され、強度、色及び／又は色温度のような生成される光出力の１つ以上の光出力特性の調節を可能にする。例えば、照明領域１１０Ａにより生成される光出力の強度、色及び／又は色温度は独立して調節され、照明領域１１０Ｂにより生成される光出力の強度、色及び／又は色温度は別々に独立して調節される。
【００５６】
［００６０］図２を参照すると、照明器具１１０のブロック図が示されている。照明領域１１０Ａ−Ｈは、タスク照明光源１３０Ａ−Ｈ、フェイス照明光源１４０Ａ−Ｈ及び存在センサ１２６Ａ−Ｈを含んでいる。少なくとも１つのコントローラ１２２が、照明領域１１０Ａ−Ｈ及び存在センサ１２６Ａ−Ｈと通信をし、存在センサ１２６Ａ−Ｈを介して受け取られる入力に少なくとも部分的に基づいて照明領域１１０Ａ−Ｈを制御する。タスク照明光源１３０Ａ−Ｈそれぞれは、テーブル１０７の少なくとも一部に向けられ、テーブル１０７の少なくとも一部を明るくする光出力を選択的に生成する１つ以上の光源を含んでいる。フェイス照明光源１４０Ａ−Ｈそれぞれは、椅子１０５Ａ−Ｈのそれぞれの近辺の領域の少なくとも一部に向けられ、椅子１０５Ａ−Ｈのそれぞれの付近の領域の少なくとも一部（例えば、少なくとも椅子１０５Ａ−Ｈに座っている人の顔によって占められる領域）を明るくする光出力を選択的に生成する１つ以上の光源を含んでいる。幾つかの実施形態では、上記光源はＬＥＤを含んでいる。幾つかの実施形態では、単一の光源がタスク照明及びフェイス照明を生成する。
【００５７】
［００６１］コントローラ１２２は、タスク照明光源１３０Ａ−Ｈ及びフェイス照明光源１４０Ａ−Ｈの状態を制御する。例えば、コントローラ１２２は、タスク照明光源１３０Ａ−Ｈのそれぞれが光出力を生成しているかどうかを制御するため、及び光出力を生成している場合は、各タスク照明光源１３０Ａ−Ｈにより生成される光出力の１つ以上の特徴をオプションで制御するためにタスク照明光源１３０Ａ−Ｈに電力を供給する１つ以上のドライバと通信をする。更に、例えば、コントローラ１２２は、フェイス照明光源１４０Ａ−Ｈのそれぞれが光出力を生成しているかどうかを制御するため、及び光出力を生成している場合は、各フェイス照明光源１４０Ａ−Ｈにより生成される光出力の１つ以上の特徴をオプションで制御するためにフェイス照明光源１４０Ａ−Ｈに電力を供給する１つ以上のドライバと通信をする。
【００５８】
［００６２］一般的に言えば、存在センサ１２６Ａ−Ｈのそれぞれは、個々の照明領域１１０Ａ−Ｈの１つと組み合わせて与えられ、個々の照明領域１１０Ａ−Ｈのそれぞれの近くにいるユーザの存在を検出する。例えば、存在センサ１２６Ａ−Ｈは、一般的に光出力が個々の照明領域１１０Ａ−Ｈのそれぞれにより与えられる領域に向けられる視界を持つ受動型赤外線（ＰＩＲ）センサをそれぞれ含んでいる。幾つかの実施形態では、単一の存在センサが、複数の照明領域１１０Ａ−Ｈについて存在を検出する。例えば、幾つかの実施形態では、全ての照明領域１１０Ａ−Ｈにおいて存在を検出する単一の存在センサが与えられる。また、例えば、幾つかの実施形態では、照明領域１１０Ａ及びＢの全てにおいて存在を検出する第１の存在センサが与えられるとともに、照明領域１１０Ｃ及びＤにおいて存在を検出する第２の存在センサが与えられる。
【００５９】
［００６３］また、例えば、存在センサ１２６Ａ−Ｈは、一人以上のユーザの位置を直接的又は間接的に決定するために利用される１つの以上のセンサをオプションで含んでいる。例えば、存在センサ１２６Ａ−Ｈは、１つ以上のレーダ、カメラ、距離センサ及び／又はＰＩＲセンサを含んでいる。例えば、レーダは、（例えば、パーソナルデバイスにより発せられるＲＦ信号及び／又はレーダにより発せられるＲＦ信号の検出に基づいて）ユーザにより所持されるパーソナルデバイスの位置を検出するために用いられ、パーソナルデバイスの位置はユーザの位置に対応すると仮定される。また、例えば、カメラ及び距離センサは、顔認識及び距離センサから読み取る距離に基づいて特定のユーザの位置を識別するために利用される。幾つかの実施形態では、存在センサ１２６Ａ−Ｈは省略され得る。例えば、実施形態では、ユーザに関する位置データがユーザのパーソナルデバイスからの入力を介して（例えば、パーソナルデバイスのＧＰＳデバイス及び／又は他の位置デバイスを介して）受け取られ、存在センサ１２６Ａ−Ｈはオプションで省略される。
【００６０】
［００６４］存在センサ１２６Ａ−Ｈ及び／又は他のデバイス（例えば、コントローラ１２２と通信する別のレシーバ）は、また、ユーザから当該ユーザの照明の要求を示す照明要求データもオプションで受け取る。例えば、ユーザは、スマートフォン、タブレットコンピュータ、専用照明デバイス及び／又はユーザと関連する照明の好みに関する照明情報を送る他のデバイスのようなパーソナル電子デバイスを有している。例えば、或る時間生物学的に刺激する照明、或る時間生物学的にリラックスさせる照明及び／又は或る時間生物学的に中間の（neutral）照明を好むユーザの場合、当該ユーザのパーソナルデバイスは、（例えば、照明のタイプの好みを示すことにより、色温度、色及び/又は強度の好みを示すことにより、照明の好みを決定するため利用される移動（travel）スケジュールを示すことにより及び／又は照明の好みを決定するため利用される静止（sleep）スケジュールを示すことにより）そのようなことを示す信号を与える。
【００６１】
［００６５］照明領域１１０Ａ−Ｈのそれぞれは、椅子１０５Ａ−１０５Ｈの最も近くにいる人に及び／又は一般に照明領域１１０Ａ−Ｈのそれぞれの下に位置するテーブル１０７の領域に光出力を向ける。例えば、図３を参照すると、テーブル１０７、椅子１０５Ａ、１０５Ｈ及び照明領域１１０Ａ、１１０Ｈの側面図が示されている。第１のユーザ１０２Ａは椅子１０５Ａに存在し、第２のユーザ１０２Ｈは椅子１０５Ｈに存在している。
【００６２】
［００６６］照明領域１１０Ａは、（フェイス照明光源１４０Ａによる）鉛直照明成分１０６Ａ及び（タスク照明光源１３０Ａによる）水平照明成分１０３Ａを有する光出力を生成している。鉛直照明成分１０６Ａは、一般に、椅子１０５Ａ及び第１のユーザ１０２Ａの顔に向けられる。水平照明成分１０３Ａは、一般に、照明領域１１０Ａの下方のテーブル１０７に向けられる。照明領域１１０Ｈは、（フェイス照明光源１４０Ｈによる）鉛直照明成分１０６Ｈ及び（タスク照明光源１３０Ｈによる）水平照明成分１０３Ｈを有する光出力を生成している。鉛直照明成分１０６Ｈは、一般に、椅子１０５Ｈ及び第１のユーザ１０２Ｈの顔に向けられる。水平照明成分１０３Ｈは、一般に、照明領域１１０Ｈの下方のテーブル１０７に向けられる。
【００６３】
［００６７］幾つかの実現では、鉛直照明成分１０６Ａ及び／又は１０６Ｈは、隣りのユーザに対して顔の照明の鮮明度を小さくするために狭いビーム角を有する。図２では、鉛直照明成分１０６Ａ及び１０６Ｈは、異なる領域（異なるユーザ１０２Ａ、１０２Ｈの顔）に向けられ、互いの間で干渉はしていない。水平照明成分１０３Ａ及び１０３Ｈは、同じ全体的なタスク領域に向けられ、互いに幾つかの重なりを有している及び／又は互いにごく近くに幾つかの光出力を有している。照明領域１１０Ａ及び／又は１１０Ｈからの光出力は、所望の光出力をユーザ１０２Ａ及び／又は１０２Ｅに与えるために調節され得る。
【００６４】
［００６８］例えば、幾つかの実現では、鉛直照明成分１０６Ａ又は１０６Ｈによりユーザに与えられるフェイス照明の光出力特性及び／又は水平照明成分１０３Ａ又は１０３Ｈにより与えられるタスク照明の光出力特性は、個々に調整可能である。照明成分１０３Ａ、１０３Ｈ、１０６Ａ、１０６Ｈの１つ以上は、強度、色及び／又は色温度のような１つ以上の独立して制御可能な光出力特性を有している。幾つかの実現では、ユーザ１０２Ａ、１０２Ｈの照明の好みは、各鉛直照明成分１０６Ａ、１０６Ｈ、水平照明成分１０３Ａ、１０３Ｈ及び／又は鉛直及び水平の両方の照明成分の組み合わせにより表される。
【００６５】
［００６９］幾つかの実現では、水平照明に対する鉛直照明の比は、ユーザの照明の好みに合うように単一の領域でユーザのために変更される一方で、一人以上の他のユーザの照明の好みへの干渉をできる限り少なくする。例えば、幾つかの実施形態では、ユーザ１０２Ａが生物学的に刺激する光（例えば、高い強度レベル）を望み、ユーザ１０２Ｈが生物学的にリラックスさせる照明（例えば、低い強度レベル）を望む場合、水平照明成分１０３Ａ及び１０３Ｈの差は、２つの照明成分間の顕著な差をほとんど引き起こさないようにできる限り小さくされる一方で、鉛直照明成分１０６Ａ及び１０６Ｈは、適切な刺激光（例えば、高い強度を有する鉛直照明成分１０６Ａ及び低い強度を有する鉛直照明成分１０６Ｈ）を与えるように構成される。鉛直照明成分１０６Ａ及び１０６Ｈの特定される別個の向きのために、２つの成分の間の照明の差は、水平照明成分１０３Ａ及び１０３Ｈの間の差よりも目立たない。
【００６６】
［００７０］幾つかの実現では、フェイス照明光源１４０Ａ−Ｈは、狭ビームを使用してかなり小さい領域をそれぞれ照明する。例えば、フェイス照明光源１４０Ａ−Ｈは、ユーザの顔を照らし、ユーザの顔以外のかなり大きい領域を照らさない約１０°のビーム幅を持つ光出力を生成する。幾つかの実現では、上記照明システムは、オプションで、ユーザの顔の位置を認識するセンサを含んでいる。それらの実現の幾つかのバージョンでは、上記照明システムは、ユーザが近くに移動する一方で、同じ全体的な照明領域に位置し続ける際、ユーザの顔にフェイス照明を維持する。例えば、ユーザが椅子を調節し、それによってユーザの顔の位置をわずかに再調整する場合、センサは、ユーザの顔の照明を維持するために、この動きを検出してフェイス照明をわずかに再調整する。それらの実現の幾つかでは、ユーザが照明領域を出る（例えば、テーブルから立ち上がり、部屋の異なる領域に歩く）場合、照明ビームはユーザを追い続けない及び／又は室内の他の照明器具が適切な照明を与えるために作動する及び／又は調節される。
【００６７】
［００７１］幾つかの実現では、二人の隣り合うユーザが異なる照明の要求を有していると、二人のユーザに与えられる照明間の差異は、照明強度に関してユーザに与えられる２つの光出力の間の差をより小さくするが、色温度に関して２つの光出力の間の差をより大きくすることによって小さくされる。例えば、ユーザ１０２Ａは刺激光を望み、ユーザ１０２Ｈは中間の設定を有する光を望む場合、照明成分１０３Ａ及び／又は１０６Ａの照明強度は、照明成分１０３Ｈ及び／又は１０６Ｈのそれぞれとほぼ同じであり、３０００Ｋないし４０００Ｋの色温度範囲において中間の照明を与えるような照明強度に設定される（例えば、約２２５ｌｕｘ）。照明成分１０３Ｈ及び／又は１０６Ｈの色温度は、ユーザ１０２Ｈに対して中間の照明を達成するおよそ３０００Ｋないし４０００Ｋの範囲内に設定される。幾つかの実現では、照明成分１０３Ａ及び／又は１０６Ａの色温度は、より低い照明強度レベル（例えば、約２２５ｌｕｘ）において光の刺激効果を増大させるように上げられる。例えば、照明成分１０３Ａ及び／又は１０６Ａの色温度は、約５０００Ｋに設定される。
【００６８】
［００７２］幾つかの実現では、照明成分１０３Ａ及び／又は１０６Ａは、追加及び／又は代替として、光の生物学的に刺激する性質を高めるために、青ないし緑領域のような１つ以上の色領域により集中されるスペクトルパワー分布を与えられる。幾つかの実現では、照明成分１０３Ｈ及び／又は１０６Ｈは、追加及び／又は代替として、光の生物学的にリラックスさせる性質を高めるために、黄ないし赤領域のような１つ以上の色領域により集中されるスペクトルパワー分布を与えられる。例えば、幾つかの実施形態では、照明成分１０３Ａ及び／又は１０６Ａの色温度は、光の刺激効果を高めるように上げられ、スペクトルパワー分布は、光の生物学的に刺激する性質を高めるために青ないし緑領域により集中される。生物学的に刺激する光を達成するために必要とされる色温度の上昇量は、青ないし緑領域にスペクトルパワー分布を増大させることにより少なくされる。また、生物学的に刺激する光を達成するために必要とされる色温度の減少量は、黄ないし赤領域にスペクトルパワー分布を増大させることにより少なくされる。
【００６９】
［００７３］幾つかの実現では、二人の隣り合うユーザが異なる照明の要求を有していると、二人のユーザに与えられる照明間の差異は、色温度に関してユーザに与えられる２つの光出力の間の差をより小さくするが、照明強度に関して２つの光出力の間の差をより大きくすることによって小さくされる。例えば、ユーザ１０２Ａは刺激光を望み、ユーザ１０２Ｈは中間の設定を有する光を望む場合、照明成分１０３Ａ及び／又は１０６Ａの色温度は、照明成分１０３Ｈ及び／又は１０６Ｈのそれぞれとほぼ同じであり、およそ２００ないし３００ｌｕｘの照明強度において中間の照明を与えるような色温度に設定される（例えば、およそ３０００Ｋないし４０００Ｋ）。照明成分１０３Ｈ及び／又は１０６Ｈの照明強度は、ユーザ１０２Ｈに関して中間の照明を達成するために、約２２５ｌｕｘに設定される。幾つかの実現では、照明成分１０３Ａ及び／又は１０６Ａの照明強度は、選択される色温度（例えば、およそ３０００Ｋないし４０００Ｋ）において光の刺激効果を増大させるように高められる。例えば、照明成分１０３Ａ及び／又は１０６Ａの照明強度は、約３５０ｌｕｘに設定される。
【００７０】
［００７４］幾つかの実現では、照明成分１０３Ａ及び／又は１０６Ａは、追加及び／又は代替として、光の生物学的に刺激する性質を高めるために、青ないし緑領域のような１つ以上の色領域により集中されるスペクトルパワー分布を与えられる。幾つかの実現では、照明成分１０３Ｈ及び／又は１０６Ｈは、追加及び／又は代替として、光の生物学的にリラックスさせる性質を高めるために、黄ないし赤領域のような１つ以上の色領域により集中されるスペクトルパワー分布を与えられる。例えば、幾つかの実施形態では、照明成分１０３Ａ及び／又は１０６Ａの強度は、光の刺激効果を高めるように大きくされ、スペクトルパワー分布は、光の生物学的に刺激する性質を高めるために青ないし緑領域でより集中される。生物学的に刺激する光を達成するために必要とされる強度の増大量は、青ないし緑領域においてスペクトルパワー分布を増大させることにより少なくされる。また、生物学的に刺激する光を達成するために必要とされる強度の減少量は、黄ないし赤領域においてスペクトルパワー分布を増大させることにより少なくされる。
【００７１】
［００７５］また、例えば、図４を参照すると、テーブル１０７、椅子１０５Ａ−Ｄ及び照明領域１１０Ａ−Ｄの図が示されている。第３のユーザ１０２Ｂが椅子１０５Ｂに存在し、第４のユーザ１０２Ｃが椅子１０５Ｃに存在している。照明領域１１０Ｂの鉛直照明成分１０６Ｂはユーザ１０２Ｂの顔に向けられ、照明領域１１０Ｃの鉛直照明成分１０６Ｃはユーザ１０２Ｃの顔に向けられる。
【００７２】
［００７６］一例として、ユーザ１０２Ｂが好みの刺激強度、好みの刺激色及び／又は好みの刺激色温度を有する刺激光を望み、ユーザ１０２Ｃが好みのリラックス強度、好みのリラックス色及び／又は好みのリラックス色温度を有するリラックス光を望んでいると仮定する。ユーザ１０２Ｂ及び１０２Ｃは、互いに非常に近くにいるので、光出力は、鉛直照明成分１０６Ｃの光強度に対する鉛直照明成分１０６Ｂの光強度の比が上記好みのリラックス強度に対する上記好みの刺激強度の比よりも小さくなるように生成される。言い換えれば、１つ以上の波長における好みの強度間の差は、（例えば、好みの刺激強度の低下及び／又は好みのリラックス強度の増加により）生成される照明成分１０６Ｂ、１０６Ｃで小さくされる。生成される光出力は、また、鉛直照明成分１０６Ｃの色温度に対する鉛直照明成分１０６Ｂの色温度の比が上記好みのリラックス色温度に対する上記好みの刺激色温度の比よりも大きくなるようにされる。言い換えれば、好みの色温度間の差は、（例えば、好みの刺激色温度の上昇及び／又は好みのリラックス色温度の低下により）生成される照明成分１０６Ｂ、１０６Ｃで大きくされる。一般的に言えば、色温度を上昇させることによりｌｕｘが低下すると、或るｌｕｘでの或る生物学的な刺激が維持される。例えば、４０００ｌｕｘ及び４０００Ｋにおいて得られる生物学的効果は、２１００ｌｕｘ及び１７０００Ｋにおいて得られる生物学的効果にほぼ等しい。幾つかの実現では、或る生物学的効果を達成するためのｌｕｘと色温度との相関関係は、本質的には、対数で表される。幾つかの実現では、照明成分１０６Ｂは、追加及び／又は代替として、光の生物学的に刺激する性質を高めるために、青ないし緑領域により集中されるスペクトルパワー分布を与えられる。幾つかの実現では、照明成分１０６Ｃは、追加及び／又は代替として、光の生物学的にリラックスさせる性質を高めるために、黄ないし赤領域により集中されるスペクトルパワー分布を与えられる。
【００７３】
［００７７］他の例として、ユーザ１０２Ｂが好みの刺激強度、好みの刺激色及び／又は好みの刺激色温度を有する刺激光を望み、ユーザ１０２Ｃが好みのリラックス強度、好みのリラックス色及び／又は好みのリラックス色温度を有するリラックス光を望んでいると仮定する。幾つかの実施形態では、光出力は、鉛直照明成分１０６Ｃの色温度に対する鉛直照明成分１０６Ｂの色温度の比が上記好みのリラックス色温度に対する上記好みの刺激色温度の比よりも小さくなるように生成される。言い換えれば、色温度の差は、（例えば、好みの刺激色温度の低下及び／又は好みのリラックス色温度の上昇により）生成される照明成分１０６Ｂ、１０６Ｃで小さくされる。生成される光出力は、また、鉛直照明成分１０６Ｃの照明強度に対する鉛直照明成分１０６Ｂの照明強度の比が上記好みのリラックス照明強度に対する上記好みの刺激照明強度の比よりも大きくなるようにされる。言い換えれば、照明強度間の差は、（例えば、好みの刺激照明強度の増加及び／又は好みのリラックス照明強度の低下により）生成される照明成分１０６Ｂ、１０６Ｃで大きくされる。一般的に言えば、照明強度を高めることにより色温度が低下すると、或る色温度での或る生物学的な刺激が維持される。例えば、２１００ｌｕｘ及び１７０００Ｋにおいて得られる生物学的効果は、４０００ｌｕｘ及び４０００Ｋにおいて得られる生物学的効果にほぼ等しい。幾つかの実現では、照明成分１０６Ｂは、追加及び／又は代替として、光の生物学的に刺激する性質を高めるために、青ないし緑領域により集中されるスペクトルパワー分布を与えられる。幾つかの実現では、照明成分１０６Ｃは、追加及び／又は代替として、光の生物学的にリラックスさせる性質を高めるために、黄ないし赤領域により集中されるスペクトルパワー分布を与えられる。
【００７４】
［００７８］幾つかの実現では、任意の与えられる生物学的に刺激する光は、追加及び／又は代替として、周期的に生物学的に刺激する要求によりユーザに局所的に与えられる。例えば、幾つかの実施形態では、与えられる生物学的刺激光は、（連続した５分又は３０分の間１／６毎に各分の間のような３０分にわたる間欠的な広がりで）３０分毎に約５分間与えられる。
【００７５】
［００７９］フェイス照明成分及びタスク照明成分の両方を有する照明システムの幾つかの実現では、互いに近くに位置するユーザ間のフェイス照明の差は大きくされ、当該ユーザ間のタスク照明の差は最小にされる。例えば、フェイス照明成分の１つは、生物学的に刺激する照明の要求を持つユーザのためになる（タスク照明成分のスペクトルパワー分布に対して）増加した青ないし緑のスペクトルパワー分布を含んでいる。また、例えば、フェイス照明成分の１つは、追加及び／又は代替として、生物学的にリラックスさせる照明の要求を持つユーザのためになる（タスク照明成分のスペクトルパワー分布に対して）増加した黄ないし赤のスペクトルパワー分布を含んでいる。また、例えば、フェイス照明成分は、追加及び／又は代替として、タスク照明成分よりも光出力強度及び／又は色温度のより大きい差を有する。
【００７６】
［００８０］幾つかの実現では、ユーザは、ユーザに与えられる光の１つ以上の光出力特性を手動で変更する選択肢を有している。例えば、ユーザは、手動制御を使用して自身の照明成分の強度及び／又は色温度を手動で変更する選択肢を有している。幾つかの実現では、照明の制御は、（例えば、ネットワーク接続を介して）コントローラ１２２に変更をリレーするユーザのパーソナル電子デバイスを介してアクセス可能である。他の実現では、ユーザの照明の設定の照明効果を手動で変更する制御は、ユーザのいる室内に存在するデバイスを通してコントローラ１２２と直接的に接続する。例えば、各ユーザは、照明成分の強度及び／又は色温度を微調整する選択をユーザに与えるデバイスをテーブル１０７の自分のシートの近くに有している。
【００７７】
［００８１］図５を参照すると、照明システムの他の実施形態が示されている。この照明システムは、存在センサ２２６及び１つ以上の照明器具２１０と通信するコントローラ２２０を含んでいる。コントローラ２２０は、また、二人の異なるユーザのパーソナルデバイス２０５Ａ、２０５Ｂとも通信する。幾つかの実現では、コントローラ２２０及び／又は位置センサ２２６は、照明器具２１０の１つ以上と一体化されている。例えば、幾つかの実施形態では、複数の照明器具２１０が与えられ、それぞれがその中に一体化されたコントローラを有しており、複数の照明器具２１０にわたるコントローラが、オプションで互いに通信する。また、例えば、幾つかの実施形態では、複数の照明器具２１０が与えられ、１つが他の照明器具とのネットワーク通信を介して複数の照明器具２１０を制御する一体化されたコントローラを有している。
【００７８】
［００８２］照明器具２１０は、固有の光出力特性を有する光を生成する及び／又はコントローラ２２０からの通信に対応して光の光出力特性を変更する１つ以上の照明器具を含んでいる。例えば、幾つかの実施形態では、照明器具２１０は、第１の照明器具及び第２の照明器具を含んでいる。第１の照明器具は、コントローラ２２０からの通信に応じて第１の領域において第１の光出力特性を有する第１の光出力を生成する。第２の照明器具は、コントローラ２２０からの通信に応じて第２の領域において第２の光出力特性を有する別個の第２の光出力を生成する。幾つかの実施形態では、第１及び／又は第２の照明器具は、光出力レベル、色、色温度及び／又はビーム形状のような調節可能な光出力特性を有している。照明器具が光出力を与える領域は、（例えば、照明器具の取り付け位置の関数として）固定されてもよいし、調節可能であってもよい。照明器具が光出力を与える領域の調節機能は、種々の方法及び／又は装置の１つ以上を利用して達成される。例えば、調節機能は、照明器具の複数の光源のうちの１つをオン／オフすることにより、照明器具全体の位置及び／又は向きを機械的に調節することにより、及び／又は、照明器具の光源及び／又は光学素子（例えば、反射器、屈折器）の位置及び／又は向きを機械的に調節することにより達成される。
【００７９】
［００８３］幾つかの実現では、照明器具２１０は、個々にオン／オフされる、個々に調光される及び／又は個々に調整される（例えば、調整可能な色、ビーム形状、ビームサイズ）複数のＬＥＤを備えたＬＥＤを使用した照明器具を含んでいる。ＬＥＤを使用した照明器具のＬＥＤの第１のグループは、第１の光出力特性を有する光出力を達成するように調節され、ＬＥＤを使用した照明器具の第２のＬＥＤのグループは、第２の光出力特性を有する光出力を達成するように調節される。幾つかの実施形態では、照明器具２１０は、各グループが１つ以上のタイル（例えば、実装されるＬＥＤを伴うタイル）を含み、固有の照明設定を有して、複数の発光天井タイルのグループを含んでいる。具体的な照明器具の実現の例が本明細書に与えられる。本開示の利益を得る当業者であれば、他の実施形態では、本明細書において説明される照明システム及び／又は照明方法で追加又は代替の照明器具が利用され得ることを認識し、理解するであろう。
【００８０】
［００８４］位置センサ２２６は、一人以上のユーザの位置を決定するために利用される１つ以上のセンサを含んでいる。例えば、位置センサ２２６は、１つ以上のレーダ、カメラ、距離センサ及び／又はＰＩＲセンサを含んでいる。例えば、レーダは、（例えば、パーソナルデバイスにより発せられるＲＦ信号及び／又はレーダにより発せられるＲＦ信号の検出に基づいて）パーソナルデバイス２０５Ａの位置を検出するために用いられ、パーソナルデバイス２０５Ａの位置は第１のユーザの位置に対応すると仮定される。また、例えば、カメラ及び距離センサは、顔認識及び距離センサから読み取る距離に基づいて特定のユーザの位置を識別するために利用される。幾つかの実施形態では、位置センサ２２６は省略され得る。例えば、上記照明システムの実施形態では、位置データが、パーソナルデバイス２０５Ａ、２０５Ｂからの入力を介して（例えば、パーソナルデバイス２０５Ａ、２０５ＢのＧＰＳデバイス及び／又は他の位置デバイスを介して）受け取られ、位置センサ２２６はオプションで省略される。
【００８１】
［００８５］幾つかの実施形態では、パーソナルデバイス２０５Ａ、２０５Ｂは、ユーザの照明の要求に関連する情報の通信を可能にするユーザにより運ばれる照明トークンを含んでいる。例えば、幾つかの実施形態では、パーソナルデバイス２０５Ａ、２０５Ｂは、ユーザの照明の要求を識別するＲＦＩＤレシーバにより読み取られるユーザによって運ばれるＲＦＩＤタグを含んでいる。例えば、ＲＦＩＤタグは、コントローラ２２０にユーザの識別を伝える。コントローラ２２０は、データベース（ローカルデータベース及び／又はネットワークを介してアクセス可能なデータベース）内のユーザと関連する治療用照明の設定を検索するためにユーザの識別を利用する。また、例えば、ＲＦＩＤタグがコントローラ２２０にユーザの識別を伝え、コントローラ２２０がデータベース内のユーザと関連するユーザの移動歴及び／又は移動計画を検索するためにユーザの識別を利用し、そのような移動歴及び／又は移動計画に基づいて、コントローラ２２０がユーザの治療用照明の設定を識別する。
【００８２】
［００８６］幾つかの実施形態では、パーソナルデバイス２０５Ａ、２０５Ｂは、スマートフォン、タブレットコンピュータ及び／又は本明細書において説明される機能を超える追加の機能を実行することが可能な他の携帯用デバイスを含んでいる。例えば、パーソナルデバイス２０５Ａ、２０５Ｂは、（直接的に又は移動予定（travel itinerary）の情報の提供を介して）コントローラ２２０に治療用照明の要求を伝えるスマートフォンを含んでいる。幾つかの実施形態では、パーソナルデバイス２０５Ａ、２０５Ｂは、追加又は代替として、コントローラ２２０に位置情報を伝える。例えば、ＧＰＳ及び／又はＲＦ三角測量を介してパーソナルデバイス２０５Ａ、２０５Ｂにおいて位置が決定され、そのような位置がコントローラ２２０に伝えられる。
【００８３】
［００８７］幾つかの実施形態では、パーソナルデバイス２０５Ａ、２０５Ｂは、適切な照明効果が存在するかどうかを感知する光センサを含んでいる。この光センサからの読み取りは、オプションで、所望の光出力を実現するためにユーザの位置に向けられる光出力をオプションで修正するためにコントローラ２２０に伝えられる。また、幾つかの実施形態では、光センサからの読み取りは、経時的に追跡され、適切な光効果がユーザによりタイミング良く受け取られたかどうかを決定するためにオプションで利用される。
【００８４】
［００８８］上記照明システム及び／又は他のデバイスの種々の構成要素（例えば、パーソナルデバイス２０５Ａ、２０５Ｂ）間の通信は、１つ以上の通信媒体、通信技術、プロトコル及び／又はプロセス間通信技術をオプションで利用する。例えば、上記通信媒体は、例えばツイストペア同軸ケーブル、光ファイバ及び／又は例えば赤外線、マイクロ波又は符号化可視光伝送を用いる無線リンクを含む任意の物理的媒体と、照明器具ネットワーク内の通信を実施するための任意の好適な送信器、受信器又は送受信器とを含んでいる。また、例えば、上記通信技術は、例えば、ＴＣＰ／ＩＰ、イーサネット（登録商標）のバリエーション、ユニバーサルシリアルバス、ブルートュース、ファイヤワイア、ジグビー、ＤＭＸ、Ｄａｌｉ、８０２．１１ｂ、８０２．１１ａ、８０２．１１ｇ、トークンリング、トークンバス、シリアルバス、コンセントを通じてネットワークでつないだ電力線又は低電圧電力線及び／又は任意の他の好適な無線又は有線プロトコルを含むデータ伝送用の任意の好適なプロトコルを含んでいる。例えば、幾つかの実施形態では、パーソナルデバイス２０５Ａ、２０５Ｂは、ＲＦ通信を介してコントローラ２２０と通信し、コントローラ２２０は、有線接続により照明器具２１０及び／又は位置センサ２２６と通信する。
【００８５】
［００８９］（例えば、感知された又は得られた位置データ及び／又は、感知された又は得られた照明要求データを通して）相反する照明の要求を持つ二人（又はそれ以上）のユーザが互いに予め規定された距離の範囲内にいるとコントローラ２２０が決定すると、隣り合うユーザに与えられる照明間の差異を小さくするために様々な照明の要求を補う個別照明がユーザに供給される一方で、個々のユーザの照明の好みの利益を維持する。例えば、第１のユーザが生物学的に刺激する光を望み、第２のユーザが生物学的に中間の光を望むと仮定する。幾つかの実施形態では、二人のユーザに与えられる照明の光強度の差は最小にされる一方で、照明の色温度及び／又はスペクトルパワー分布は、適切な照明の要求を持つユーザを満たすように調節される。例えば、約３５００Ｋの中間の光強度を持つ第２の光が第２のユーザに供給され、同じ光強度を持つが、約５０００Ｋの同じ光強度を持つ及び／又は青ないし緑領域において増大するスペクトルパワー分布を持つ第１の光が第１のユーザに供給される。幾つかの実現では、照明器具２１０の第１のものは第１の光を供給し、照明器具２１０の隣りのものは第２の光を供給する。幾つかの実現では、照明器具２１０の１つが、第１の光及び第２の光の両方を供給する。
【００８６】
［００９０］また、例えば、第１のユーザの照明の要求に特化される（particularize）第１の垂直フェイス照明は第１のユーザに供給され、第２のユーザの照明の要求に特化される第２の垂直フェイス照明は第２のユーザに供給される。オプションで、第１の水平タスク照明は第１のユーザに近いタスク領域に追加的に供給され、第２の水平タスク照明は第２のユーザに近いタスク領域に追加的に供給される。第１及び第２の水平タスク照明は、第１及び第２の垂直フェイス照明よりも互いに適合する。幾つかの実施では、複数の照明器具２１０が第１及び第２の光を供給する。幾つかの実施では、照明器具２１０の１つが第１及び第２の光を供給する。
【００８７】
［００９１］幾つかの発明の実施形態が本明細書において説明及び図示されたが、当業者であれば、本明細書において述べられた機能を実行するための、並びに／又は本明細書において述べられた結果及び／若しくは利点の１つ以上を得るための種々の他の手段及び／若しくは構成を容易に構想するであろう。また、そのような変形例及び／又は変更例のそれぞれは、本明細書において述べられた発明の実施形態の範囲内にあると見なされる。より一般的には、当業者であれば、本明細書において述べられた全てのパラメータ、寸法、材料及び構成は例示的であるように意図されており、実際のパラメータ、寸法、材料及び／又は構成は本発明の教示が使用される具体的な用途に依存することを容易に理解するであろう。当業者は、日常の実験のみを用いて、本明細書において述べられた具体的な発明の実施形態の多くの均等物を認識する又は確認することができるであろう。従って、上記実施形態は単に例として与えられており、添付の特許請求の範囲及びその均等物の範囲内において、発明の実施形態は、具体的に説明され、特許請求の範囲に記載されたやり方以外のやり方で実施され得ることを理解されたい。この開示の発明の実施形態は、本明細書において述べられた個々の特徴、システム、物品、材料、キット及び／又は方法を対象としている。また、そのような特徴、システム、物品、材料、キット及び／又は方法が互いに矛盾しないのであれば、２つ以上のそのような特徴、システム、物品、材料、キット及び／又は方法の任意の組み合わせは、この開示の発明の範囲内に含まれる。
【００８８】
［００９２］本明細書において定義され、使用される全ての定義は、辞書を超える定義、参照することにより組み込まれる文書内の定義及び／又は定義された用語の通常の意味を支配すると理解されたい。
【００８９】
［００９３］明細書及び特許請求の範囲において本願で用いられる不定冠詞「a」及び「an」は、反対のことを明確に示されない限り、「少なくとも１つ」を意味すると理解されたい。
【００９０】
［００９４］明細書及び特許請求の範囲において本願で用いられる「及び／又は」という表現は、そのような等位結合した要素、すなわち、あるケースでは接続的に存在する要素及び他のケースでは選言的に存在する要素の「どちらか一方又は両方」を意味すると理解されたい。「及び／又は」を伴って列挙された複数の要素は、同じように、すなわち、そのような等位結合した要素の「１つ以上」と解釈されるべきである。「及び／又は」節により明確に特定された要素以外の他の要素が、明確に特定されたこれらの要素に関係があろうとなかろうとオプションで存在し得る。従って、非限定的な例として、「Ａ及び／又はＢ」の記載は、「有する」のような非制限的な言葉と共に用いられる場合、一実施形態では、Ａのみ（オプションでＢ以外の要素を含む）を意味し、他の形態では、Ｂのみ（オプションでＡ以外の要素を含む）を意味し、更に他の実施形態では、Ａ及びＢの両方（オプションで他の要素を含む）を意味する等である。
【００９１】
［００９５］明細書及び特許請求の範囲において本願で用いられる場合、「又は」は上記に規定された「及び／又は」と同じ意味を有することを理解されたい。例えば、リスト中の項目を分ける際、「又は」又は「及び／又は」は、含む、すなわち、要素の数又はリストの少なくとも１つを含むが、１つよりも多くも含み、オプションで追加のリストに載っていない項目を含んでいると解釈されるべきである。「の１つのみ」若しくは「の正確に１つ」又は特許請求の範囲において用いられる際の「より成る」のような反対のことがはっきりと示されている表現のみが、要素の数又はリストの正確に１つを含むことを指す。一般に、ここで用いられる「又は」という用語は、「どちらか一方の」、「の１つ」、「の１つのみ」又は「の正確に１つ」のような排他性の表現により前置きされる場合に専ら排他的な代替物を示す（すなわち、「１つ又は他のものであるが両方ではない」）と解釈されるべきである。
【００９２】
［００９６］反対のことを明確に示されない限り、１つよりも多いステップ又は動作を含む本願の特許請求の範囲のいかなる方法においても、当該方法のステップ又は動作の順序は、必ずしも該方法のステップ又は動作が列挙されている順序に限定されるものではないことも理解されたい。また、特許請求の範囲において括弧内に表示される参照符号は、単に便宜上与えられており、決して特許請求の範囲を限定するように解釈されるべきではない。
【００９３】
［００９７］特許請求の範囲及び上記明細書において、「有する」、「含む（including）」、「持ち運ぶ」、「持つ」、「含む（containing）」、「伴う」、「保持する」、「によって構成される」等のような全ての移行句は、非制限的である、すなわち、含むが限定されるものではないことを意味すると理解されるべきである。「から成る」及び「から本質的に成る」という移行句のみが、それぞれ、排他的又は半排他的な移行句である。
【図１】
0006339088.tif 000002
【図２】
0006339088.tif 000003
【図３】
0006339088.tif 000004
【図４】
0006339088.tif 000005
【図５】
0006339088.tif 000006